【手続補正書】
【提出日】平成19年3月27日(2007.3.27)
【手続補正１】
【補正対象書類名】特許請求の範囲
【補正対象項目名】全文
【補正方法】変更
【補正の内容】
【特許請求の範囲】
【請求項１】
軸（５）を中心として回転可能で、巻き付けた粘着テープロールを保持するためのホルダー（２）と、ホルダー（２）に連結され、挿入された又は挿入できる粘着テープロールの外径側に配設された外方部（４）とを備え、前記外方部（４）は、挿入された粘着テープロールの自由端への固定及び／又は取外しに適し、前記ホルダー（２）に移動可能に固定される粘着テープディスペンサー（１）であって、前記外方部（４）が軸（５）からの間隔が小さくなる方向に配置される、少なくとも１つの弾性手段（３）を備えた粘着テープディスペンサーにおいて、前記弾性手段（３）は２つで、各弾性手段が外方部（４）又は挿入された粘着テープロールの２つの端面にそれぞれに作用し、前記弾性手段は、ホルダー（２）が外方部（４）に連結されることにより、ベントスプリングアーム（３）によって形成され、前記スプリングアーム（３）のベントは弾性的に圧縮されることを特徴とする粘着テープディスペンサー。
【請求項２】
軸（５）を中心として回転可能に巻き付けた粘着テープロール（２３）を保持するためのホルダー（２）と、ホルダー（２）に連結され、挿入可能な粘着テープロール（２３）の外径側に位置する領域に配設される外方部（４）とを備え、外方部は、挿入可能な粘着テープロール（２３）の自由端の固定及び／又は取り外しに適しており、ホルダー（２）は、粘着テープロール（２３）が回転可能となるように保持可能なベアリングコア（２６）を備え、外方部（４）はホルダー（２）のベアリングコア（２６）に移動可能に連結される粘着テープディスペンサー（１）であって、外方部（４）及び／又はベアリングコア（２６）が、外方部（４）とベアリングコア（２６）との間隔を小さくする方向に付勢される、少なくとも１つの弾性手段（３，３ａ）を備えた粘着テープディスペンサーにおいて、前記ベアリングコア（２６）は回転軸（２７）を中心として偏心して回転可能であり、ホルダー（２）の側壁（６）の間に装着されて弾性手段（３a）によって付勢され、前記ベアリングコア（２６）は中空シリンダによって形成され、前記弾性手段（３a）は前記シリンダのキャビティ（３８）内に配設され、前記外方部（４）はホルダー（２）の側壁（６）に連結固定されていることを特徴とする粘着テープディスペンサー。
【請求項３】
前記外方部（４）は、挿入された粘着テープロール（２３）の外周面に弾性的に接触する弾性手段（３，３ａ）によって導かれることを特徴とする請求項１又は２に記載の粘着テープディスペンサー。
【請求項４】
前記弾性手段（３）は、粘着テープロールに対して外側から外方部（４）を付勢する圧縮スプリングを備えたことを特徴とする前記請求項のいずれか１項に記載の粘着テープディスペンサー。
【請求項５】
前記スプリングアーム（３）は、略放射線状又はＵ字状に曲がり、スプリングアーム（３）の一端の領域（１２）が、軸（５）と挿入された粘着テープロールの間に配設したホルダー（２）の領域から、少なくとも略接線方向に延び、スプリングアーム（３）の他端の領域（１３）が、挿入された粘着テープロールの外周面の外径に、少なくとも略接線方向に終端することを特徴とする請求項１に記載の粘着テープディスペンサー。
【請求項６】
各スプリングアーム（３）は、挿入された粘着テープロールに対して軸方向に隣接する両側のそれぞれに配設され、前記両スプリングアーム（３）は、端部領域（１２，１３）で、ホルダー（２）によって一端に、外方部（４）によって他端に互いに連結したことを特徴とする請求項１及び５に記載の粘着テープディスペンサー。
【請求項７】
前記両スプリングアーム（３）は、挿入された粘着テープロールの外径側に配設された付加連結ウェブ（１４）によって中間領域に互いに連結され、外方に突出するように配設され、前記中間領域は、外方部（４）とスプリングアーム（３）の中心との間に配設したことを特徴とする請求項６に記載の粘着テープディスペンサー。
【請求項８】
前記両スプリングアーム（３）は、外方部（４）に連結された端部領域（１３）に、挿入された粘着テープロールの端面に対してガイド手段を軸方向に配設可能で、それぞれ内方に向かって突出する突出部（１８）をそれぞれ備えたことを特徴とする請求項６又は７に記載の粘着テープディスペンサー。
【請求項９】
前記外方部（４）は、粘着テープロール（２３）の自由端が容易に取り外しできるように粘着可能である、外方に対向する粗い又は溝状の表面（９）を有するテープ保持領域を備えたことを特徴とする前記請求項のいずれか１項に記載の粘着テープディスペンサー。
【請求項１０】
前記外方部（４）は、テープの一片を粘着テープロール（２３）から引き出すために、取り外し装置（１０，１１，３１）、特に、尖った縁（１０）、歯状ストリップ（３１）又はナイフを備えたことを特徴とする前記請求項のいずれか１項に記載の粘着テープディスペンサー。
【請求項１１】
前記外方部（４）は、軸（５）と平行に延びる軸を中心として丸みを与えられた切り取り部分の縁（１１）を備えたことを特徴とする前記請求項のいずれか１項に記載の粘着テープディスペンサー。
【請求項１２】
前記ホルダー（２）は、外方に配設された両側壁（６）の少なくともいずれか一方に凹部（８）を備えたことを特徴とする前記請求項のいずれか１項に記載の粘着テープディスペンサー。
【請求項１３】
機械的に積極的な固定及び／又は摩擦固定方法により、挿入又は挿入可能な粘着テープロール（２３）を巻き戻す方向（Ａ）への回転動作とは反対の復帰回転動作を阻止する手段（１９，２０）を備えたことを特徴とする前記請求項のいずれか１項に記載の粘着テープディスペンサー。
【請求項１４】
前記ホルダー（２）は、粘着テープロール（２３）のコアリール（２４）と協働する手段、特に弾性手段（１９，２０）を備えたことを特徴とする請求項１３に記載の粘着テープディスペンサー。
【請求項１５】
保持されるべき又は保持されたコアリール（２４）又は粘着テープロール（２３）の円周方向に配置された少なくとも１つのスプリング舌片（２０）は、ホルダー（２）に設けられ、前記少なくとも１つのスプリング舌片は、粘着テープロール（２３）を引き戻す望ましい回転方向（Ａ）に位置決めされ、コアロール（２４）の端面に設けた凹部に弾性的に係合させるために内方の軸方向に弾性的に突出していることを特徴とする請求項１３又は１４に記載の粘着テープディスペンサー。
【請求項１６】
少なくとも１つのスプリングアーム（３）は、軸方向に向かう及び／又は放射状に広がる弾性領域に、対応する歯に係合させるために、突出部、特に楔形に突出する突起を備え、前記領域は、挿入された又は挿入できる粘着テープロールのコアロール（２４）の歯、又は、挿入された又は挿入できる粘着テープロールの鋸歯状の端面を直接押圧することを特徴とする請求項６乃至１０のいずれか１つに従属する請求項１３に記載の粘着テープディスペンサー。
【請求項１７】
合成樹脂材料、好ましくは透光性を有する合成樹脂材料からなり、好ましくは一体的に形成されていることを特徴とする前記請求項のいずれか１項に記載の粘着テープディスペンサー。
【請求項１８】
前記弾性手段又はスプリングアーム（３）は、透光性及び弾性を有する合成樹脂材料、特にポリカーボネートからなることを特徴とする請求項１７に記載の粘着テープディスペンサー。
【請求項１９】
前記ベアリングコア（２６）は、回転軸（２７）を中心として偏心して回転可能であり、弾性手段（３ａ）によって付勢されるようにホルダー（２）の側壁（６）の間に配設されることを特徴とする請求項２、特に請求項１１乃至１６のいずれか１項の従属項に記載の粘着テープディスペンサー。
【請求項２０】
前記ベアリングコア（２６）は中空シリンダで形成され、前記弾性手段（３ａ）は前記シリンダのキャビティ（３８）に配設されることを特徴とする請求項１９に記載の粘着テープディスペンサー。
【請求項２１】
前記弾性手段は、ベアリングコア（２６）の回転軸（２７）に回転可能に装着された脚部スプリング（３ａ）を備え、脚部スプリング（３ａ）の一端はキャビティ（３８）の内壁（３９）によって支持され、脚部スプリング（３ａ）の他端は突出部（３５）によって支持され、突出部（３５）は開口（３６）を介してキャビティ（３８）内に突出することを特徴とする請求項１９及び２０に記載の粘着テープディスペンサー。
【請求項２２】
挿入された粘着テープロールを備えた取り外し可能なディスペンサーとして構成され、前記粘着テープロール（２３）の側縁は好ましくは溝状、鋸波状又は波形に形成されていることを特徴とする前記請求項のいずれか１項に記載の粘着テープディスペンサー。
【請求項２３】
粘着テープロール（２３）を挿入可能な再使用可能なディスペンサーとして構成されていることを特徴とする請求項１乃至２２のいずれか１項に記載の粘着テープディスペンサー。